(57)【要約】【課題】  外刃の可動範囲を大きくし、軽量化と小型化を図り、取扱いを容易にする。【解決手段】  外刃（２４）を遊動可能に保持する外刃ホルダー（３０）、この外刃ホルダー（３０）を貫通して外刃（２４）の外周縁を押圧する複数の突起（５０）を有しかつ内刃（３６）を遊転自在に保持する内刃ホルダー（４２）、内刃ホルダー（４２）および外刃ホルダー（３０）を貫通し先端が互いに隣接する外刃（２４）の間隙で刃枠（２０）に位置決めされる１本のシャフト（６２）、このシャフト（６２）が貫通すると共に刃枠（２０）に係脱可能に係止されて内刃ホルダー（４２）を外刃方向へ弾性をもって押圧する刃押え機構（６０）と、を備える。【選択図】      図１
2005312523.tif 000002
【特許請求の範囲】
【請求項１】
モータを内蔵する本体部に装着される刃枠に複数の外刃を保持し、この刃枠の内側に装填される内刃を前記本体部から突出し前記モータにより回転駆動される駆動軸により外刃に向って弾性を持って押圧しつつ回転駆動する回転式電気かみそりにおいて、
前記刃枠の内側に装填され前記外刃を遊動可能に保持する外刃ホルダーと、
この外刃ホルダーを貫通して外刃の外周縁を押圧する複数の突起を有しかつ前記内刃を遊転自在に保持する内刃ホルダーと、
前記内刃ホルダーおよび外刃ホルダーを貫通し先端が互いに隣接する外刃の間隙で前記刃枠に位置決めされる１本のシャフトと、
このシャフトが貫通すると共に刃枠に係脱可能に係止されて前記内刃ホルダーを外刃方向へ弾性をもって押圧する刃押え機構と、
を備えることを特徴とする回転式電気かみそり。
【請求項２】
刃押え機構は、シャフトに軸支されこのシャフトの反先端側への脱落が規制されると共にその外径方向に延びる複数の腕部材が一体に形成されたロック部材と、このロック部材に装着され内刃ホルダーを押圧する圧縮コイルばねと、
を備え、前記腕部材の先端を刃枠の内壁に係脱可能にした請求項１の回転式電気かみそり。
【請求項３】
ロック部材はシャフト上で回動可能であり、腕部材の先端は刃枠の内壁に設けた係合部に所定の回動方向から係脱可能である請求項２の回転式電気かみそり。
【請求項４】
シャフトは金属製である請求項１〜３のいずれかの回転電気かみそり。
【請求項５】
内刃ホルダーに設けられ外刃の外周縁を押圧する突起は、各外刃に対してそれぞれ２または３個形成されている請求項１〜４のいずれかの回転式電気かみそり。
【請求項６】
外刃ホルダーは、刃枠と本体部に設けた支持突部との間に挟持される請求項１〜５のいずれかの回転式電気かみそり。
【請求項７】
２個の外刃および内刃を備え、シャフトの先端は２つの外刃の中心をつなぐ直線上に位置する請求項１〜６のいずれかの回転式電気かみそり。
【請求項８】
３個の外刃および内刃が正三角形の頂点に位置するように配列され、シャフトの先端は前記正三角形の中心に位置する請求項１〜６のいずれかの回転式電気かみそり。
【発明の詳細な説明】
【技術分野】
【０００１】
この発明は、略円盤状の外刃に内刃を接触させつつ回転させ、外刃のスリットに進入した髭を内刃でカットする回転式電気かみそりに関するものである。
【背景技術】
【０００２】
この種の電気かみそりにおいて、複数の外刃を有するものが公知である。例えば２つの外刃を近接させて並べたり、３つの外刃を正三角形の頂点に配設したものがある。この場合、剃り味を良くするために、外刃はそれぞれが独立して遊動可能として、外刃が髭剃り面の曲面にならって傾くようにすることが必要である。
【０００３】
【特許文献１】特許第２８５３８１２号
【特許文献２】実公平２−１４７４８
【０００４】
引用文献１には、外刃に内刃を装填した髭剃りユニットを保持板に装着しておき、この保持板を刃枠（ホルダー）の内側壁に固定するものが示されている。ここに保持板は、中心から外側へ向って進退動する複数のアーム部を備え、このアーム部の先端を刃枠の内側壁に係脱させる。また髭剃りユニットは、保持板に側方から装着され、装着状態ではこの保持板に一体に形成した弾性アームによって弾性保持されて僅かに上下動するものである。なおこのように２つの外刃を有するものでは、従来はこの保持板を刃枠の内側壁に保持していたものであり、保持板を両外刃の間で刃枠に保持したものは知られていない。
【０００５】
特許文献２には、内刃を保持する保持体で外刃の外周縁全周を押さえると共に、この保持体を刃枠にばねを介して押圧するものが示されている。すなわち刃枠にロック体を着脱可能とし、このロック体は、径方向に突出する複数の係止杆部を持ち、これらの係止杆部を刃枠に係脱させる。そしてこのロック体に内装したばねによって保持体を押圧するものである。
【０００６】
図８は他の従来例の刃枠の内部構造を示す平面図、図９はそのIX−IX線断面図である。この従来例は３つの外刃１を共通の外刃ホルダー２に正三角形の頂点位置に配置したものであり、各外刃１は外刃ホルダー２に遊動可能に係止されている。３は内刃ホルダーであり、ここには３個の内刃４が遊転自在に保持されている。この内刃ホルダー３にはまた、外刃ホルダー２と干渉しないように各外刃１に対して２つの突起５が外刃１の周方向に離して突設されている。
【０００７】
内刃ホルダー３の中央はロックボルト６によって刃枠７に弾性支持されている。すなわち刃枠７の中央にはナット８がインサートされる一方、ロックボルト６に係止した止め輪９とつまみ１０との間に内刃ホルダー３および圧縮コイルばね１１が装填されている。ここに内刃ホルダー３はコイルばね１１によって止め輪９側（ロックボルト６の先端側）に押圧されている。このためロックボルト６の先端をナット８に螺入すれば、内刃ホルダー３はコイルばね１１によって外刃１を弾性をもって押圧する。すなわち外刃１の周縁が、突起５と一体の内刃ホルダー３を介してコイルばね１１により押圧される。
【０００８】
なお内刃４は、この刃枠７を本体部（図示せず）に装着した時に、本体部の駆動軸（図示せず）に係合し、回転駆動される。この駆動軸は突出方向への復帰習性を持って軸方向に進退動し、この駆動軸が内刃４を外刃１の内面に弾性をもって押圧する。またこの本体部には外刃ホルダー２を三角形の頂部付近で支える３本の支持突部１２（図９に１つだけ示した）が突設されている。
【発明の開示】
【発明が解決しようとする課題】
【０００９】
特許文献１に示されているものは、外刃と内刃とからなる髭剃りユニットの可動範囲（上下動範囲および傾き範囲）は、保持板と一体な弾性アームの可動範囲に制限され、極めて小さくならざるを得ない。このため外刃が髭剃り面（皮膚）の凹凸や傾き変化に十分追従できず、剃り味が悪くなるという問題が生じる。
【００１０】
特許文献２に示されたものは、内刃を保持する保持板を弾性をもって外刃に向って押圧させるので、この保持板の上下変位により外刃の上下動は可能であるが、髭屑の掃除のために保持板を取外すと、外刃が刃枠から脱落する。このため外刃の数が多い場合（例えば３つ）には外刃の着脱が面倒で取扱いが難しくなるという問題があった。
【００１１】
さらに特許文献２のものは保持板で外刃の外周縁全周を押さえるため、外刃の僅かな変位でも保持板が大きく偏位し他の外刃の保持に影響する。
【００１２】
図８，９に示す従来例では、ロックボルト６の先端を螺入するナット８が刃枠７にインサートされ、この部分を外刃ホルダー２が囲んでいる。このためこのナット８付近で外刃１の間隔を広くする必要が生じ、３つの外刃を用いる場合には各外刃の間隔を広げたり、各外刃の直径を大きくしなければならず、刃枠が大型化する。同様に外刃を２つとした時は外刃の間隔を広げなければならず、この問題は重大であった。
【００１３】
この発明はこのような事情に鑑みなされたものであり、外刃の可動範囲を大きくでき、構造が簡単であるため部品点数の減少と軽量化と小型化が図れ、外刃の間隔を狭くすることによっても小型化が図れ、さらに外刃の着脱時などに取扱いが容易になるようにした回転式電気かみそりを提供することを目的とする。
【課題を解決するための手段】
【００１４】
この発明によればこの目的は、モータを内蔵する本体部に装着される刃枠に複数の外刃を保持し、この刃枠の内側に装填される内刃を前記本体部から突出し前記モータにより回転駆動される駆動軸により外刃に向って弾性を持って押圧しつつ回転駆動する回転式電気かみそりにおいて、前記刃枠の内側に装填され前記外刃を遊動可能に保持する外刃ホルダーと、この外刃ホルダーを貫通して外刃の外周縁を押圧する複数の突起を有しかつ前記内刃を遊転自在に保持する内刃ホルダーと、前記内刃ホルダーおよび外刃ホルダーを貫通し先端が互いに隣接する外刃の間隙で前記刃枠に位置決めされる１本のシャフトと、このシャフトが貫通すると共に刃枠に係脱可能に係止されて前記内刃ホルダーを外刃方向へ弾性をもって押圧する刃押え機構と、を備えることを特徴とする回転式電気かみそり、により達成される。
【発明の効果】
【００１５】
外刃を外刃ホルダーに遊動可能に保持し、この外刃の外周縁に内刃ホルダーから外刃ホルダーを貫通して延びる複数の突起を係合させ、内刃ホルダーは刃押え機構によって弾性をもって押圧するから、外刃に外力が加わると突起を介して内刃ホルダーが変位することにより外刃が変位（例えば進退出動が）可能である。この時内刃ホルダーの突起は、外刃の外周縁全体に密着するのではなく、適切な間隔をもって（例えば２箇所あるいは３箇所で）外刃を押圧するから、外刃は容易に傾くことができ、内刃ホルダーの変位が小さくなり、他の外刃に及ぼす影響が小さくなる。
【００１６】
このため簡単な機構により、外刃の上下動範囲および傾き範囲を大きくすることができる。また部品点数が少なく、軽量化と小型化が可能である。さらに複数の外刃は外刃ホルダーに遊動可能に保持されているので、髭剃り屑の掃除などの時には複数の外刃は外刃ホルダーに保持したまま着脱することができ、取扱いが容易になる。
【００１７】
内刃ホルダーを保持する刃押え機構には先端を刃枠に位置決めしたシャフトが貫通し、この刃押え機構は刃枠に係脱可能に係止されて内刃ホルダーを外刃方向に弾性をもって押圧するから、シャフトの先端は刃枠に位置決めするだけで足り、軸方向の移動を規制するように係止する必要がないから、小径化できる。このため外刃の間隔を狭くすることができ、２つの外刃を有する場合には両外刃を接近させることにより刃枠の小型化が可能である。また３つの外刃の中央にこのシャフトの先端を係止する場合には、このシャフト係止用のスペースは小さくてすむから、外刃の径を小さくでき、刃枠の小型化が可能である。
【発明を実施するための最良の形態】
【００１８】
刃押え機構は、シャフトに軸支されこのシャフトの反先端側への脱落が規制されるロック部材に外径方向へ延びる複数の腕部材を一体に形成しておき、このロック部材に装着した圧縮コイルばねで内刃ホルダーを押圧し、腕部材の先端を刃枠の内壁に係脱させる構造とするのがよい（請求項２）。２つの外刃を有する場合は、一対（２本）の腕部材を設ける。３つの外刃を有する場合は３本の腕部材を周方向に等間隔に設けるのがよい。
【００１９】
刃押え機構の腕部材はロック部材と共にシャフト上で回動させ、腕部材の先端を刃枠の内壁に設けた係合部に所定の回動方向から係脱させる構造とすることができる（請求項３）。この場合は構造が簡単で部品点数の減少に適する。しかしこの発明は腕部材を他の方式により刃枠に係止させるものであってもよい。例えば腕部材をその先端方向へ進退動可能とし、この先端を刃枠の内壁に係脱させてもよい。
【００２０】
シャフトはステンレス網などの金属製とすれば（請求項４）、その径を十分に小さくして前記の外刃間隔を狭くできるという効果は一層大きくなる。
【００２１】
内刃ホルダーに設ける突起（外刃の外周縁を押さえる突起）は１つの外刃に対して２個あるいは３個とするのがよい（請求項５）。突起を２個とすれば外刃はこれら突起を支点にしてシーソー状に傾き易くなる。突起を３個とすれば外刃の保持が安定し易くなると共に、突起の配置や間隔を変えることにより傾き易い方向を変えることができ、設計自由度が増大する。
【００２２】
外刃ホルダーは本体部に突設した複数の支持突部によって刃枠に押圧することができ、この場合は外刃ホルダーは刃枠とこの支持突部とに挟持されるから、外刃の変位時にも外刃ホルダーは固定されることになり、外刃の移動が安定する（請求項６）。
【００２３】
２つの外刃を有する場合は、両外刃の間でかつこれらの中心を結ぶ直線上にシャフト先端を係止する（請求項７）。また３つの外刃を正三角形の頂点に配置する場合には、この三角形の中心にシャフト先端を係止する（請求項８）。
【実施例１】
【００２４】
図１は２つの外刃を持つ本発明の一実施例の分解斜視図、図２はその組立てた状態を刃枠の内側から示す平面図、図３はそのIII−III線断面図、図４は同じくIV−IV線断面図、図５は同じく図２におけるＶ−Ｖ線断面図である。図６は刃押え機構を示す斜視図、図７は同じくその一部拡大図である。
【００２５】
これらの図で符号２０は刃枠であり平面視略小判型（バスタブ状）であり、その底面（あるいは上面）には一対の外刃装着孔２２，２２（図１）が形成されている。２４，２４は外刃であり、略円盤形のキャップ状であって、その円形部分には多数のスリット２６が放射状に形成されている。また外刃２４の開口縁である外周縁２８はフランジ状に外径方向に向かって折曲されている。
【００２６】
３０は外刃ホルダーであり、外刃２４を遊動可能に保持する。外刃ホルダー３０には刃枠２０の外刃装着孔２２に対応する２つの開口３２が形成され、これらの開口３２の内周縁には外刃２４の外周縁２８に係合する爪３４が周方向および軸線方向に間隔を置いて形成されている。外刃２４はその外周縁２８で一部の爪３４を押し開きつつ開口３２に装着され、軸線方向に離れた爪３４，３４の間隔内で外刃２４は軸方向および傾き方向に遊動可能である。このように２つの外刃２４を装着した状態で外刃ホルダー３０は刃枠２０の内側に挿入される。この状態で外刃２４はその外周縁２８を刃枠２０内に残して他の部分が刃枠２０の外刃装着孔２２から外へ突出する。
【００２７】
３６は内刃である。内刃３６はカップ状の基部３８ａから放射状に多数の腕部３８ｂが延びる樹脂製の内刃基体３８と、これら腕部３８ｂの先端に固定される環状の小刃連結体４０とを持つ。小刃連結体４０は外刃２４の内面に摺接する多数の小刃を環状に一体成形したものである。
【００２８】
この内刃３６は内刃ホルダー４２に遊転自在かつ遊動自在に保持される。内刃ホルダー４２は図１，２，６などから明らかなように、略８字形であり、内輪４４，４４と、その外側の一部を除いて囲む外輪４６，４６とを持つ。内輪４４には内刃３６の基部３８ａが遊転自在かつ遊動自在に保持される。それぞれの外輪４６には、外刃ホルダー３０に設けた３つの切欠き４８（図１，６参照）を通して外刃２４の外周縁２８を押圧する３つの突起５０（図１，５，６）が突設されている。
【００２９】
６０は刃押え機構である。この刃押え機構６０は、内刃ホルダー４２と外刃ホルダー３０とを貫通して刃枠２０の中央に先端が位置決めされる金属製（例えばステンレス鋼製）のシャフト６２と、このシャフト６２に装着されたロック部材６４と、圧縮コイルばね６６と、止め輪６８とを有する。シャフト６２は先端側が小径であり、この小径部分とその上の部分とにかけて外刃ホルダー３０と内刃ホルダー４２が軸方向に重ならないように順次係合する。シャフト６２の他端はフランジ状に拡径し、ロック部材６４の抜け止めとなっている。
【００３０】
図３，５において、ロック部材６４の一端（上端）にはつまみ７０が一体形成されると共に、他端（下端）は下方に向って開くばね装填室７２となっている。ばね装填室７２に装填されたコイルばね６６の下端は内刃ホルダー４２の上面に当接し、内刃ホルダー４２を下方へ押す。内刃ホルダー４２はシャフト６２に装着された止め輪６８によりシャフト６２からの脱落が防止される。
【００３１】
またロック部材６４には径方向に延びる一対の腕部材７４，７４が一体成形され、これら腕部材７４，７４の先端は刃枠２０の内壁に係合可能である。すなわち刃枠２０の短径側の両内壁には、水平方向（図２，６で反時計方向）に向かって開く略コ字状の係合部７６が一対形成され、つまみ７０をつまんでロック部材６４を例えば時計方向に回すことによって腕部材７４，７４を同時に一対の係合部７６，７６に係合させることができる。なおこの時、つまみ７０を押込んでコイルばね６６を圧縮させつつ内刃ホルダー４２を外刃ホルダー３０側に押圧する。同様に内刃ホルダー４２を取外す時にはつまみ７０を押しつつ反時計方向に回動すればよい。
【００３２】
このように刃枠２０の中に、外刃２４を組付けた外刃ホルダー３０、内刃３６を組付けた内刃ホルダー４２を順次装填し、内刃ホルダー４２に組付けたロック部材６４のつまみ７０を押込みつつ時計方向に回動して腕部材７４を係合部７６に係合させることによって、これらを刃枠２０内に装填することができる。この状態で刃枠２０を本体部７８（図５参照）に装着すれば、駆動軸８０が内刃３６の基部３８ａに係入する。この駆動軸８０は突出方向への復帰習性を有すると共に、電動モータ（図示せず）により回転駆動されるから、内刃３６はこの駆動軸８０によって外刃２４の内面に弾性的に押圧されつつ回転駆動される。また本体部７８に突設した支持突部８２は外刃ホルダー３０を押圧し外刃ホルダー３０を保持する。
【００３３】
この実施例によれば、外刃２４を外刃ホルダー３０に遊動可能に保持し、この外刃２４の外周縁２８に内刃ホルダー４２の３つの突起５０を係合させ、この内刃ホルダー４２を刃押え機構６０によって弾性をもって押圧させるものであるから、外刃２４に外力が加わると突起５０を介して内刃ホルダー４２が変位することにより、外刃２４が進退動し、傾くことができる。突起５０は外刃２４の外周縁２８を３ヶ所で押圧するから、外刃２４は安定しかつ容易に傾く。この時内刃ホルダー４２は押下げるが、その変位は小さいので他の外刃２４に対する影響が小さい。内刃ホルダー４２は刃押え機構６０によりその可動範囲を大きくすることもできるので、外刃２４の可動範囲も大きくできる。
【００３４】
刃押え機構６０は、シャフト６２に保持されたロック部材６４の腕部材７４を刃枠２０の内壁に係止させ、このロック部材６４と内刃ホルダー４２との間に圧縮コイルばね６６を縮装させたものであるから、シャフト６２はロック部材６４、内刃ホルダー４２および外刃ホルダー３０を位置決めする機能を持てば足り、刃枠２０に対して抜け止めする必要がない。従ってその先端部分を十分に小径化でき、ここに刃枠２０、外刃ホルダー３０、内刃ホルダー４２を軸方向に重ならないように保持している。このため２つの外刃２４，２４の外周縁２８，２８を十分に近接させることができ、刃枠２０の小型化、電気かみそり全体の小型化が図れる。
【００３５】
またロック部材６４はシャフト６２に対して回動可能かつ軸方向に移動可能であるから、ロック部材６４のつまみ７０をつまんで内刃ホルダー４２を刃枠２０内に装填し、つまみ７０を押込みながら所定方向（この実施例では時計方向）に回動することにより腕部材７４を刃枠２０の係止部７６に係止すればよい。このため操作が容易である。髭剃り屑を掃除する時には、この内刃ホルダー４２を取外せれば、この内刃ホルダー４２と共に内刃３６が取外される。また外刃２４は外刃ホルダー３０と共に刃枠２０から取外すことができる。このように分解した状態で各部を掃除すればよいから掃除が楽である。
【図面の簡単な説明】
【００３６】
【図１】本発明の一実施例の分割斜視図
【図２】その組立てた状態を刃枠の内側から見た平面図
【図３】図２におけるIII−III線断面図
【図４】同じくIV−IV線断面図
【図５】同じくＶ−Ｖ線断面図
【図６】刃押え機構を示す斜視図
【図７】同じくその一部拡大図
【図８】従来例の刃枠の内部構造を示す平面図
【図９】そのIX−IX線断面図
【符号の説明】
【００３７】
２０  刃枠
２４  外刃
２８  外周縁
３０  外刃ホルダー
３６  内刃
４２  内刃ホルダー
５０  突起
６０  刃押え機構
６２  シャフト
６４  ロック部材
６６  コイルばね
７４  腕部材
７６  係合部
７８  本体部
８０  駆動軸
８２  支持突部
【図１】
2005312523.tif 000003
【図２】
2005312523.tif 000004
【図３】
2005312523.tif 000005
【図４】
2005312523.tif 000006
【図５】
2005312523.tif 000007
【図６】
2005312523.tif 000008
【図７】
2005312523.tif 000009
【図８】
2005312523.tif 000010
【図９】
2005312523.tif 000011